(57)【要約】【課題】使用後にニードルをシリンダ内に収納でき、またニードルを固定したニードルシートを簡易な操作で取り外せる採血用安全注射器を提供する。【解決手段】中空の筒体であるシリンダ１０にガイド溝を形成し、該ガイド溝に位置決め傾斜溝を形成するとともに、該シリンダ１０にニードル３８を固定した内スリーブ２０を設け、該ガイド溝を介して該内スリーブ２０に連結する押圧板４０をシリンダ１０の外周面に設け、該押圧板４０によって内スリーブ２０をシリンダ１０内に移動させるとともに、内スリーブ２０に固定したニードル３８を押し出して取り外すことができるように構成する。【選択図】　図４
2004016814.tif 000002
【特許請求の範囲】
【請求項１】
中空の筒体であって、上面に偏心させて開口を形成し、かつ外周壁の側面に細長いガイド溝を形成し、該ガイド溝の前端縁部に該ガイド溝に対して垂直の方向に適宜な長さの方向決めスライド溝を形成し、該ガイド溝の適宜な位置には傾斜した位置決め傾斜溝を形成し、かつ該傾斜した位置決め傾斜溝の幅を該ガイド溝の幅より広くしてなるシリンダと、
該シリンダ内に設けられ、上面にＵ字状の切欠き溝を形成するとともに、該切欠き溝の一端から該切り欠溝を形成する方向に沿って、周縁に至る細長い開口を形成してなる内スリーブと、
該内スリーブのＵ字状の切り欠き溝内に着脱自在設けられ、一端に突起状のニードル座を形成し、該ニードル座には軸方向にガイド孔を形成し、Ｚ字状のニードルを挿通させて固定し、かつ該ニードルの下針先が該シリンダの水平面の中心点に位置するように設け、さらに他端に係合部を形成してなるニードルシートと、
プレート部とガイド桿とを一体に形成してなり、該内スリーブの細長い開口に摺動自在に設けられ、かつ該ガイド桿の一端に係合部を形成してなる押圧板とよってなることを特徴とする採血用安全注射器。
【請求項２】
前記シリンダの上面に偏心させて形成した開口には、該ニードル座が当止する当止板を形成することを特徴とする請求項１に記載の採血用安全注射器。
【請求項３】
前記シリンダに形成した方向決めスライド溝に凸点を形成することを特徴とする請求項１に記載の採血用安全注射器。
【請求項４】
前記シリンダのスライド溝には、該傾斜した位置決め傾斜溝の前方の位置に複数の鋸刃状部が形成されることを特徴とする請求項１に記載の採血用安全注射器。
【請求項５】
前記シリンダのスライド溝には、該傾斜した位置決め傾斜溝の後方の位置に係合部が形成されることを特徴とする請求項１に記載の採血用安全注射器。
【請求項６】
前記シリンダの後端部には、後端蓋体が設けられることを特徴とする請求項１に記載の採血用安全注射器。
【請求項７】
前記シリンダの内壁の適宜な位置に少なくとも１以上の凸点を設けるとともに、該内スリーブの外周面であって、該凸点に対応する位置に該凸点が嵌入する凹溝を形成することを特徴とする請求項１に記載の採血用安全注射器。
【請求項８】
前記内スリーブの下縁部には、円周に沿って複数の下端縁切欠き溝を形成することを特徴とする請求項１に記載の採血用安全注射器。
【請求項９】
前記前記ニードルシートの長手方向の両側面に凸条が形成され、該内スリーブのＵ字状の開口の内壁であって、該凸条に対応する位置にスライド溝が形成されることを特徴とする請求項１に記載の採血用安全注射器。
【請求項１０】
前記凸条上に少なくとも１以上の凸点が形成されることを特徴とする請求項９に記載の採血用安全注射器。
【請求項１１】
前記ニードル座は、底面に該ニードルが嵌入する溝を形成したニードル固定座を設けることを特徴とする請求項１に記載の採血用安全注射器。
【請求項１２】
前記押圧板のガイド桿の長手方向の両側面に凸条を形成し、該内スリーブの開口の内壁であって、該ガイド桿の凸条に対応する位置に、該凸条が嵌入するガイド溝を形成することを特徴とする請求項１に記載の採血用安全注射器。
【請求項１３】
前記ニードル座上に、さらにニードルヘッドを設けてニードルを固定することを特徴とする請求項１に記載の採血用安全注射器。
【請求項１４】
前記シリンダ内には、上方開口部に弾性を有するプラグを嵌め込んでなる真空採血カップを挿入することを特徴とする請求項１から１４に記載の採血用安全注射器。
【請求項１５】
中空の筒体であって、上面に偏心させて開口を形成し、かつ外周壁の側面に細長いガイド溝を形成し、該ガイド溝の適宜な位置には傾斜した位置決め傾斜溝を形成し、かつ該傾斜した位置決め傾斜溝の幅を該ガイド溝の幅より広くしてなるシリンダと、
該シリンダ内に設けられ、かつ該シリンダの開口に対応する位置に突起状のニードル座を形成し、該ニードル座には軸方向にガイド孔を形成し、Ｚ字状のニードルを挿通させて固定するとともに、該ニードルの下針先が該シリンダの水平面の中心点に位置するように設けてなるニードルシートと、
該シリンダの外周面に設けられ、該ガイド溝を介して該ニードルシートに連結する押圧板とよってなることを特徴とする採血用安全注射器。
【請求項１６】
前記シリンダのスライド溝には、該傾斜した位置決め傾斜溝の前方の位置に複数の鋸刃状部が形成されることを特徴とする請求項１５に記載の採血用安全注射器。
【請求項１７】
前記内スリーブの下縁部には、円周に沿って複数の下端縁切欠き溝を形成することを特徴とする請求項１５に記載の採血用安全注射器。
【請求項１８】
前記シリンダのスライド溝には、該傾斜した位置決め傾斜溝の後方の位置に係合部が形成されるとともに、該シリンダの後端部には、後端蓋体が設けられることを特徴とする請求項１５に記載の採血用安全注射器。
【請求項１９】
前記ニードル座は、底面に該ニードルが嵌入する溝を形成したニードル固定座を設けることを特徴とする請求項１５に記載の採血用安全注射器。
【請求項２０】
前記ニードル座上に、さらにニードルヘッドを設けてニードルを固定することを特徴とする請求項１５に記載の採血用安全注射器。
【請求項２１】
前記シリンダ内には、上方開口部に弾性を有するプラグを嵌め込んでなる真空採血カップを挿入することを特徴
とする請求項１５から２１に記載の採血用安全注射器。
【請求項２２】
中空の筒体であって、上面に偏心させて開口を形成し、かつ外周壁の側面に細長いガイド溝を形成し、該ガイド溝の前端縁部に該ガイド溝に対して垂直の方向に適宜な長さの方向決めスライド溝を形成してなるシリンダと、
該シリンダ内に設けられ、上面にＵ字状の切欠き溝を形成するとともに、該切欠き溝の一端から該切り欠溝を形成する方向に沿って、周縁に至る細長い開口を形成してなる内スリーブと、
該内スリーブのＵ字状の切り欠き溝内に着脱自在設けられ、一端に突起状のニードル座を形成し、該ニードル座には軸方向にガイド孔を形成し、Ｚ字状のニードルを挿通させて固定し、かつ該ニードルの下針先が該シリンダの水平面の中心点に位置するように設け、さらに他端に係合部を形成してなるニードルシートと、
プレート部とガイド桿とを一体に形成してなり、該内スリーブの細長い開口に摺動自在に設けられ、かつ該ガイド桿の一端に係合部を形成してなる押圧板とよってなることを特徴とする採血用安全注射器。
【請求項２３】
前記シリンダの上面に偏心させて形成した開口には、該ニードル座が当止する当止板を形成することを特徴とする請求項２２に記載の採血用安全注射器。
【請求項２４】
前記シリンダに形成した方向決めスライド溝に凸点を形成することを特徴とする請求項２２に記載の採血用安全注射器。
【請求項２５】
前記シリンダの内壁の適宜な位置に少なくとも１以上の凸点を設けるとともに、該内スリーブの外周面であって、該凸点に対応する位置に該凸点が嵌入する凹溝を形成することを特徴とする請求項２２に記載の採血用安全注射器。
【請求項２６】
前記内スリーブの下縁部には、円周に沿って複数の下端縁切欠き溝を形成することを特徴とする請求項２２に記載の採血用安全注射器。
【請求項２７】
前記前記ニードルシートの長手方向の両側面に凸条が形成され、該内スリーブのＵ字状の開口の内壁であって、該凸条に対応する位置にスライド溝が形成されることを特徴とする請求項２２に記載の採血用安全注射器。
【請求項２８】
前記凸条上に少なくとも１以上の凸点が形成されることを特徴とする請求項２７に記載の採血用安全注射器。
【請求項２９】
前記ニードル座は、底面に該ニードルが嵌入する溝を形成したニードル固定座を設けることを特徴とする請求項２２に記載の採血用安全注射器。
【請求項３０】
前記押圧板のガイド桿の長手方向の両側面に
凸条を形成し、該内スリーブの開口の内壁であって、該ガイド桿の凸条に対応する位置に、該凸条が嵌入するガイド溝を形成することを特徴とする請求項２２に記載の採血用安全注射器。
【請求項３１】
前記ニードル座上に、さらにニードルヘッドを設けてニードルを固定することを特徴とする請求項２２に記載の採血用安全注射器。
【請求項３２】
前記シリンダ内には、上方開口部に弾性を有するプラグを嵌め込んでなる真空採血カップを挿入することを特徴とする請求項２２から３１に記載の採血用安全注射器。
【発明の詳細な説明】
【０００１】
【発明の属する技術分野】
この発明は、医療用の採血器に関し、特にニードルを具え、該ニードルをシリンダ内に収納できる採血用安全注射器に関する。
【０００２】
【従来の技術】
一般の病院などでは、患者から採血して血液の分析を行い、病気の原因となる病原菌を解明したり、どのような病気なのか理解したり、もしくは人体の生理機能が正常であるか否かを検査したりすることは、通常頻繁に行われる作業である。但し、医療関係者などが採血器の使用後に、採血針にキャップを被せようとして不注意から自分の手を刺して、致命的な病気に感染する可能性がある。よって、採血用の器具の選択は、極めて重要である。
【０００３】
また、採血器との筒状の本体と、採血針とは異なる材質によってなり、採血針は尖頭状の物品であるため、廃棄された医療器材を回収する場合、採血器本体と採血針とを分解して回収しなければならない。従来は手作業で採血針を回転させて回収容器に回収していた。かかる作業の過程において、作業者は危険な状況にあり、採血針の処理によって病気に感染しやすくなるという問題が存在する。
【０００４】
したがって、従来の採血器における使用後のキャップを被せる動作と、回収する場合の採血針を取り外す作業の欠点を如何にして改善し、使用後にキャップを被せて保護を与える必要がなく、回収時には容易に採血針を取り外せることのできる新規な採血器が望まれている。
【０００５】
【発明が解決しようとする課題】
この発明は、使用後に簡易な操作で採血針をシリンダ内に収納して、使用者の安全性を確保することができる採血用安全注射器を提供することを課題とする。
【０００６】
また、この発明はニードルを固定したニードルシートを簡易な操作で取り外してシリンダから分解することができ、安全に回収できる採血用安全注射器を提供することを課題とする。
【０００７】
【課題を解決するための手段】
そこで、本発明者は従来の技術に見られる欠点に鑑みて鋭意研究を重ねた結果、中空の筒体であるシリンダにガイド溝を形成し、該ガイド溝に位置決め傾斜溝を形成するとともに、該シリンダにニードルを固定した内スリーブを設け、該ガイド溝を介して該内スリーブに連結する押圧板をリンジの外周面に設け、該押圧板によって内スリーブをシリンダ内に移動させるとともに、内スリーブに固定したニードルを押し出して取り外す構造によって課題を解決できる点に着眼し、かかる知見に基づいて本発明を完成させた。
【０００８】
以下、この発明について具体的に説明する。
請求項１に記載の採血用安全注射器は、中空の筒体であって、上面に偏心させて開口を形成し、かつ外周壁の側面に細長いガイド溝を形成し、該ガイド溝の前端縁部に該ガイド溝に対して垂直の方向に適宜な長さの方向決めスライド溝を形成し、該ガイド溝の適宜な位置には傾斜した位置決め傾斜溝を形成し、かつ該傾斜した位置決め傾斜溝の幅を該ガイド溝の幅より広くしてなるシリンダと、
該シリンダ内に設けられ、上面にＵ字状の切欠き溝を形成するとともに、該切欠き溝の一端から該切り欠溝を形成する方向に沿って、周縁に至る細長い開口を形成してなる内スリーブと、
該内スリーブのＵ字状の切り欠き溝内に着脱自在設けられ、一端に突起状のニードル座を形成し、該ニードル座には軸方向にガイド孔を形成し、Ｚ字状のニードルを挿通させて固定し、かつ該ニードルの下針先が該シリンダの水平面の中心点に位置するように設け、さらに他端に係合部を形成してなるニードルシートと、
プレート部とガイド桿とを一体に形成してなり、該内スリーブの細長い開口に摺動自在に設けられ、かつ該ガイド桿の一端に係合部を形成してなる押圧板とよってなる。
【０００９】
請求項２に記載する採血用安全注射器は、請求項１におけるシリンダの上面に偏心させて形成した開口に、該ニードル座が当止する当止板を形成する。
【００１０】
請求項３に記載する採血用安全注射器は、請求項１におけるシリンダに形成した方向決めスライド溝に凸点を形成する。
【００１１】
請求項４に記載する採血用安全注射器は、請求項１におけるシリンダのスライド溝に、該傾斜した位置決め傾斜溝の前方の位置に複数の鋸刃状部が形成される。
【００１２】
請求項５に記載する採血用安全注射器は、請求項１にけるシリンダのスライド溝に、該傾斜した位置決め傾斜溝の後方の位置に係合部が形成される。
【００１３】
請求項６に記載する採血用安全注射器は、請求項１におけるシリンダの後端部に、後端蓋体が設けられる。
【００１４】
請求項７に記載する採血用安全注射器は、請求項１におけるシリンダの内壁の適宜な位置に少なくとも１以上の凸点を設けるとともに、該内スリーブの外周面であって、該凸点に対応する位置に該凸点が嵌入する凹溝を形成する。
【００１５】
請求項８に記載する採血用安全注射器は、請求項１における内スリーブの下縁部に、円周に沿って複数の下端縁切欠き溝を形成する。
【００１６】
請求項９に記載する採血用安全注射器は、請求項１におけるニードルシートの長手方向の両側面に凸条が形成され、該内スリーブのＵ字状の開口の内壁であって、該凸条に対応する位置にスライド溝が形成される。
【００１７】
請求項１０に記載する採血用安全注射器は、請求項１における凸条上に少なくとも１以上の凸点が形成される。
【００１８】
請求項１１に記載する採血用安全注射器は、請求項１におけるニードル座が、底面に該ニードルが嵌入する溝を形成したニードル固定座を設けることを特徴とする請求項１に記載の採血用安全注射器。
【００１９】
請求項１２に記載する採血用安全用注射器は、請求項１における押圧板のガイド桿の長手方向の両側面に凸条を形成し、該内スリーブの開口の内壁であって、該ガイド桿の凸条に対応する位置に、該凸条が嵌入するガイド溝を形成する。
【００２０】
請求項１３に記載する採血用安全注射器は、請求項１におけるニードル座上に、さらにニードルヘッドを設けてニードルを固定する。
【００２１】
請求項１から１４に記載する採血用安全注射器は、請求項１におけるシリンダ内に、上方開口部に弾性を有するプラグを嵌め込んでなる真空採血カップを挿入する。
【００２２】
請求項１５に記載する採血用安全注射器は、中空の筒体であって、上面に偏心させて開口を形成し、かつ外周壁の側面に細長いガイド溝を形成し、該ガイド溝の適宜な位置には傾斜した位置決め傾斜溝を形成し、かつ該傾斜した位置決め傾斜溝の幅を該ガイド溝の幅より広くしてなるシリンダと、
該シリンダ内に設けられ、かつ該シリンダの開口に対応する位置に突起状のニードル座を形成し、該ニードル座には軸方向にガイド孔を形成し、Ｚ字状のニードルを挿通させて固定するとともに、該ニードルの下針先が該シリンダの水平面の中心点に位置するように設けてなるニードルシートと、
該シリンダの外周面に設けられ、該ガイド溝を介して該ニードルシートに連結する押圧板とよってなる。
【００２３】
請求項１６に記載する採血用安全注射器は、請求項１５におけるシリンダのスライド溝に、該傾斜した位置決め傾斜溝の前方の位置に複数の鋸刃状部が形成される。
【００２４】
請求項１７に記載する採血用安全注射器は、請求項１５における内スリーブの下縁部に、円周に沿って複数の下端縁切欠き溝を形成する。
【００２５】
請求項１８に記載する採血用安全注射器は、請求項１５におけるシリンダのスライド溝の該傾斜した位置決め傾斜溝の後方の位置に係合部が形成されるとともに、該シリンダの後端部には、後端蓋体が設けられる。
【００２６】
請求項１９に記載する採血用安全注射器は、請求項１５におけるニードル座に、底面に該ニードルが嵌入する溝を形成したニードル固定座を設ける。
【００２７】
請求項２０に記載する採血用安全注射器は、請求項１５におけるニードル座上に、さらにニードルヘッドを設けてニードルを固定する。
【００２８】
請求項２１に記載する採血用安全注射器は、請求項１５から２１におけるシリンダ内に、上方開口部に弾性を有するプラグを嵌め込んでなる真空採血カップを挿入する。
【００２９】
請求項２２に記載する採血用安全注射器は、中空の筒体であって、上面に偏心させて開口を形成し、かつ外周壁の側面に細長いガイド溝を形成し、該ガイド溝の前端縁部に該ガイド溝に対して垂直の方向に適宜な長さの方向決めスライド溝を形成してなるシリンダと、
該シリンダ内に設けられ、上面にＵ字状の切欠き溝を形成するとともに、該切欠き溝の一端から該切り欠溝を形成する方向に沿って、周縁に至る細長い開口を形成してなる内スリーブと、
該内スリーブのＵ字状の切り欠き溝内に着脱自在設けられ、一端に突起状のニードル座を形成し、該ニードル座には軸方向にガイド孔を形成し、Ｚ字状のニードルを挿通させて固定し、かつ該ニードルの下針先が該シリンダの水平面の中心点に位置するように設け、さらに他端に係合部を形成してなるニードルシートと、
プレート部とガイド桿とを一体に形成してなり、該内スリーブの細長い開口に摺動自在に設けられ、かつ該ガイド桿の一端に係合部を形成してなる押圧板とよってなる。
【００３０】
請求項２３に記載する採血用安全注射器は、請求項２２におけるシリンダの上面に偏心させて形成した開口に、該ニードル座が当止する当止板を形成する。
【００３１】
請求項２４に記載する採血用安全注射器は、請求項２２におけるシリンダに形成した方向決めスライド溝に凸点を形成する。
【００３２】
請求項２５に記載する採血用安全注射器は、請求項２２におけるシリンダの内壁の適宜な位置に少なくとも１以上の凸点を設けるとともに、該内スリーブの外周面であって、該凸点に対応する位置に該凸点が嵌入する凹溝を形成する。
【００３３】
請求項２６に記載する採血用安全注射器は、請求項２２における内スリーブの下縁部には、円周に沿って複数の下端縁切欠き溝を形成する。
【００３４】
請求項２７に記載する採血用安全注射器は、請求項２２におけるニードルシートの長手方向の両側面に凸条が形成され、該内スリーブのＵ字状の開口の内壁であって、該凸条に対応する位置にスライド溝が形成される。
【００３５】
請求項２８に記載する採血用安全注射器は、請求項２７における凸条上に少なくとも１以上の凸点が形成される。
【００３６】
請求項２９に記載する採血用安全注射器は、請求項２２におけるニードル座に、底面に該ニードルが嵌入する溝を形成したニードル固定座を設ける。
【００３７】
請求項３０に記載する採血用安全注射器は、請求項２２における押圧板のガイド桿の長手方向の両側面に凸条を形成し、該内スリーブの開口の内壁であって、該ガイド桿の凸条に対応する位置に、該凸条が嵌入するガイド溝を形成する。
【００３８】
請求項３１に記載する採血用安全注射器は、請求項２２におけるニードル座上に、さらにニードルヘッドを設けてニードルを固定する。
【００３９】
請求項３２に記載する採血用安全注射器は、請求項２２から３１におけるシリンダ内に、上方開口部に弾性を有するプラグを嵌め込んでなる真空採血カップを挿入する。
【００４０】
【発明の実施の形態】
この発明は、ニードルを具え、該ニードルをシリンダ内に収納できる採血用安全注射器を提供するものであって、中空の筒体であるシリンダにガイド溝を形成し、該ガイド溝に位置決め傾斜溝を形成するとともに、該シリンダにニードルを固定した内スリーブを設け、該ガイド溝を介して該内スリーブに連結する押圧板をシリンダの外周面に設け、該押圧板によって内スリーブをシリンダ内に移動させるとともに、内スリーブに固定したニードルを押し出して取り外すことができるように構成する。
かかる採血用安全注射器の構造と特徴を詳述するために、具体的な実施例を挙げ、図示を参照にして以下に詳述する。
【００４１】
【実施例】
図１に、この発明による採血器の分解図を開示する。図面によれば、この発明による採血器は、中空の筒体であるシリンダ（１０）と、該シリンダ内に設けられる内スリーブ（２０）と、該内スリーブ（２０）に着脱自在に設けるニードルシート（３０）と、該内スリーブに摺動自在に設ける押圧板（４０）とを具えてなる。
該内スリーブ（２０）を該シリンダ（１０）内に固定するために、シリンダ（１０）の内壁の適宜な位置に突起部（１９）を形成し、内スリーブ（２０）の外周面であって、該凸点に対応する位置に該突起部（１９）が嵌入する凹溝（２８）を形成する。
【００４２】
また、該シリンダ（１０）は、上面に偏心させて開口（１２）を形成し、かつ外周壁の側面に細長いガイド溝（１４）を形成する。また、シリンダ（１０）の後端部には、採血を行う場合にシリンダ（１０）を把持するための耳状にせり出した凸縁（１６）を形成する。
【００４３】
該ガイド溝（１４）の前端部には、ガイド溝（１４）に対して垂直の方向に適宜な長さの方向決めスライド溝（１４７）を形成する。また、シリンダ（１０）の凸縁（１６）を形成する一端においてガイド溝（１４）上に傾斜した位置決め傾斜溝（１４１）を形成する。また、ガイド溝（１４）の該傾斜位置決め傾斜溝（１４１）より前方の位置には複数の鋸刃状部（１４３）を形成するとともに、該傾斜位置決め傾斜溝（１４１）より後方の位置には
係合部（１４５）を形成する。
【００４４】
図２に、この発明による採血用注射器の内スリーブ（２０）と、ニードルシート（３０）と、押圧板（４０）を開示する。図示によれば、内スリーブ（２０）は中空に形成され、かつ直径を中空シリンダ（１０）の内径よりやや短く形成して中空シリンダ（１０）内に設ける。また、内スリーブ（２０）の円形の上面（２２）にはＵ字状の切欠き溝（２４）を形成するとともに、該切欠き溝（２４）の一端から該切り欠溝（２４）を形成する方向に沿って、周縁に至る細長い開口（２６）を形成する。さらに、切欠き溝（２４）と、細長い開口（２６）の内壁には、それぞれガイド溝（２４１）（２６１）を形成して、押圧板（４０）を該開口（２６）に挿入した場合に固定できるようにする。さらに、内スリーブ（２０）の下縁部には、適宜な弾性を具えさせるために、円周に沿って複数の下端縁切欠き溝（２９）を形成する。
【００４５】
ニードルシート（３０）は、内スリーブ（２０）のＵ字状の切欠き溝（２４）内に設けるとともに、シリンダ（１０）上面の偏心させて形成した開口（１２）に対応する位置に突起状のニードル座（３２）を形成し、該ニードル座（３２）上にニードルヘッド（３１）を固定する。ニードル座（３２）には軸方向にガイド孔（３２１）を形成し、Ｚ字状のニードル（３８）を挿通させて固定する。
【００４６】
また、図３に開示するように、ニードルシート（３０）の底面にはニードル（３８）の下針先（３８１）が嵌入ニードル固定座（３６）を設け、ニードル（３８）の下針先（３８１）を、シリンダ（１０）の水平面の中心点に位置させる。さらに、ニードルシート（３０）の一端であって、押圧板（４０）に接触する一端には係合部（３９）を形成するとともに、ニードルシート（３０）の長手方向の両側面には、内スリーブ（２０）の切り欠き溝（２４）の内壁に形成したガイド溝（２４１）に嵌入する凸条（３４）を形成するとともに、該凸条上の適宜な位置に凸点（３３）を形成する。
【００４７】
押圧板（４０）はプレート部（４２）にガイド桿（４４）が一体に形成されてなり、該ガイド桿（４４）は、シリンダ（１０）のガイド溝（１４）とほぼ同一の幅に形成されるとともに、ガイド桿（４４）の長手方向の両側面には、内スリーブ（２０）の開口（２６）に形成したガイド溝（２６１）に嵌入する凸条（４６）を形成する。また、ガイド桿（４４）のニードルシート（３０）に接触する一端には係合部（４８）を形成して、ニードルシート（３０）の係合部（３９）と係合させる。
【００４８】
シリンダ（１０）の内部であって、内スリーブ（２０）の後方には真空採血カップ（５０）を設ける。真空採血カップ（５０）は、上方開口部に弾性を有するプラグ（５２）が嵌め込まれる。また、該真空採血カップ（５０）は市販されている周知の真空採血カップとする。
【００４９】
図４にこの発明による採血用注射器を操作する場合の動作を開示する。図面によれば、ニードルヘッド（３１）の先端部が患者の血管に突き刺さり、血管内に至ると、真空採血カップ（５０）がシリンダ（１０）内においてニードル（３８）の下針先（３８１）に向って移動し、下針先（３８１）が真空採血カップ（５０）のプラグ（５２）を突き破ると、真空採血カップ（５０）内が真空状態であるため、被採血者の血液が血管からガイド孔（３２１）と、ニードル（３８）を通過して真空採血カップ（５０）内に収集されて採血の目的が達成される。
【００５０】
図５から図７に、ニードルシート（３０）をシリンダ（１０）内に収納する動作の説明を開示する。押圧板（４０）のガイド桿（４４）は、幅がシリンダ（１０）のガイド溝（１４）の幅と略同一であるため、採血が完了した後、押圧板（４０）を押動して内スリーブ（２０）をシリンダ（１０）の後端部に向かって移動させることができる。押圧板（４０）がシリンダ（１０）のガイド溝（１４）に沿って後端部に向かって移動し傾斜位置決め傾斜溝（１４１）に至ると、該傾斜位置決め傾斜溝（１４１）が傾斜して形成されているため、内スリーブ（２０）が傾斜位置決め傾斜溝（１４１）に嵌入して傾斜してシリンダ（１０）の後端部に位置決めされるとともに、ニードルシート（３０）に固定されたニードルヘッド（３１）が傾斜して、ニードルヘッド（３１）がシリンダ（１０）内に収納される。このため採血を行う医療関係者が誤って使用後の針で自分を刺す危険性を解消することができる。
【００５１】
該シリンダ（１０）のガイド溝（１４）は、傾斜位置決め傾斜溝（１４１）の前部に複数の鋸刃状部（１４３）を形成するため、一旦傾斜位置決め傾斜溝（１４１）に嵌入した押圧板（４０）が前方にスライドすることを防ぐことができる。即ち、すでに後方に移動して傾斜し、位置決めされたニードルヘッド（３１）がシリンダ（１０）が外部に至ることを確実に防ぐことができる。
【００５２】
シリンダ（１０）の後端部には、採血用注射器の未使用時にニードルヘッド（３１）の清潔な状態を保つために後端蓋体（１８）を着脱自在に設ける。また、採血が完了し、傾斜位置決め傾斜溝（１４１）に押圧板（４０）を位置決めした後、後端蓋体（１８）を被せ、係合部（１４５）に係合させると、ニードルヘッド（３１）がシリンダ（１０）内に完全に、かつ確実に固定される。
【００５３】
この発明による採血用注射器は、上述のとおり採血が完了した後、押圧板（４０）を押動して傾斜位置決め傾斜溝（１４１）に位置決めし、ニードルヘッド（３１）を傾斜させてシリンダ（１０）内に収納することができるが、日増しに重要時されている環境保全の問題に鑑みて、この発明においては別途ニードルシート（３０）とシリンダ（１０）を簡易な操作で分解できるように構成した。
【００５４】
図８、９、１０に、ニードルシート（３０）の取り外しの動作を開示する。押圧板（４０）とニードルシート（３０）とは、押圧板の係合部（４８）とニードルシート（３０）の係合部（３９）とが係合し、かつ押圧板（１０）とニードルシート（３０）に形成した凸条（４６）（３４）が、内スリーブ（２０）の開口（２６）と切り欠き溝（２４）に形成したガイド溝（２６１）とにそれぞれ嵌入して、ニードルシート（３０）が内スリーブ（２０）に安定して固定されるように構成した。これを分解する場合は、採血が終了した後、押圧板（４０）を水平方向に押動して内スリーブ（２０）を時計回りの方向に回転させ、さらに押圧板（４０）のプレート部（４２）を押し圧することによって、ニードルシート（３０）を取り外し、ニードルシート（３０）をニードルヘッド（３１）とともに直接回収用の容器に収納することができる。方向決めスライド溝（１４７）をガイド溝（１４）の左側に形成してもよい。この場合、上述の操作の方向が逆方向になる。
【００５５】
シリンダ（１０）の開口（１２）には、当止板（１２３）を形成することによって凹状開口部（１２１）が形成される。押圧板（４０）がシリンダ（１０）上の方向決めスライド溝（１４７）の左側にある場合、ニードルシート（３０）のニードル座（３２）の一端が該シリンダ（１０）の開口（１２）に係止した当止板（１２３）に当止する。このため、押圧板（４０）を水平方向に移動させる以前の状態において、ニードルシート（３０）を押し出して取り外すことができない。また、シリンダ（１０）の方向決めスライド溝（１４７）の適宜な位置に凸点（１４９）を形成する。よって、押圧板（４０）が水平方向に移動する場合は、該凸点（１４９）の制限から開放されて始めて内スリーブ（２０）を回転させ、ニードルシート（３０）をシリンダ（１０）の開口（１２）の凹状開口部（１２１）に移動させることができる。この状態において押圧板（４０）を押し圧するとニードルシート（３０）の長手方向の側面に形成した凸点（３３）による当接が解除され、ニードルシート（３０）を容易に取り外すことができる。
【００５６】
以上はこの発明の好ましい実施例であって、この発明の実施の範囲を限定するものではない。よって、当業者のなし得る修正、もしくは変更であって、この発明の精神の下においてなされ、かつこの発明に対して均等の効果を有するものは、いずれもこの発明の特許請求の範囲に属するものとする。
【００５７】
【発明の効果】
この発明による採血用注射器は、シリンダにガイド溝を形成し、該ガイド溝に傾斜位置決め傾斜溝を傾斜した状態に形成し、採血した後のニードルヘッドをシリンダ内に傾斜した状態で収納することができる。また、ガイド溝に鋸刃状部を形成し、シリンダに収納したニードルヘッドが逆戻りしないようにするとともに、該ガイド溝に形成した係合部と、後端蓋体とによって先端が尖ったニードルを傾斜させて、安定した状態で完全に収納することができる。よって、医療関係者が採血を行う場合の安全性を充分に確保することができる。
【００５８】
また、この発明による採血用注射器は、シリンダに形成したガイド溝の前端部に方向決めスライド溝を形成し、該方向決めスライド溝を利用して、押圧板を押し圧する簡易な操作でニードルシートと、シリンダを分解することができる。よって、従来の装置のようにニードルヘッドを手作業で引き抜く必要がなく、廃棄、回収の作業の安全性を保つことができ、資源の分類回収を容易に行うことができる。
【００５９】
また、この発明による採血用注射器は、ニードルヘッドとニードルシートが分解できるように構成されるため、必要に応じて（例えば乳幼児に対して採血を行う場合、大きさの異なるニードルヘッドに交換するだけでよく、サイズの異なるニードルヘッドに合わせ、別途採血用注射器を製造する必要がない。さらに市販の真空採血カップを採用することができるため、製造コストを低減させる効果を具える。
【図面の簡単な説明】
【図１】この発明による採血用注射器の分解図である。
【図２】図１に開示する採血用注射器の内スリーブ、ニードルシート、及び押圧板を表わす斜視図である。
【図３】図１に開示する採血用注射器の断面図である。
【図４】図１に開示する採血用注射器の使用状態を表わす説明図である。
【図５】図１に開示する採血用注射器のニードルシートを収納する動作を表わす説明図である。
【図６】図１に開示する採血用注射器のニードルシートを収納する動作を表わす説明図である。
【図７】図１に開示する採血用注射器のニードルシートを収納する動作を表わす説明図である。
【図８】図１に開示する採血用安全注射器の平面図である。
【図９】図１に開示する採血用注射器において、ニードルシートを取り外す動作の説明図である。
【図１０】図１に開示する採血用注射器において、ニードルシートを取り外す動作の説明図である。
【符号の説明】
１０　　シリンダ
１２　　開口
１２１　　凹状開口部
１２３　　当止板
１４　　ガイド溝
１４１　傾斜位置決め傾斜溝
１４３　　鋸刃状部
１４５　　係合部
１４７　　方向決めスライド溝
１４９　　凸点
１６　　凸縁
１８　　後端蓋体
１９　　突起部
２０　　内スリーブ
２２　　上面
２４　　切欠き溝
２４１　　ガイド溝
２６　　開口
２６１　　ガイド溝
２８　　凹溝
２９　　下端縁切欠き溝
３０　　ニードルシート
３１　　ニードルヘッド
３２　　ニードル座
３２１　　　ガイド孔
３３　　凸点
３４　　凸条
３６　　ニードル固定座
３８　　ニードル
３８１　　下針先
３９　　係合部
４０　　押圧板
４２　　プレート部
４４　　ガイド桿
４６　　凸条
４８　　係合部
５０　　真空採血カップ
５２　　プラグ
【図１】
2004016814.tif 000003
【図２】
2004016814.tif 000004
【図３】
2004016814.tif 000005
【図４】
2004016814.tif 000006
【図５】
2004016814.tif 000007
【図６】
2004016814.tif 000008
【図７】
2004016814.tif 000009
【図８】
2004016814.tif 000010
【図９】
2004016814.tif 000011
【図１０】
2004016814.tif 000012